(57)【要約】      （修正有）【課題】低演算量で、優れた伝送特性を実現できるＭＩＭＯの受信装置、受信方法および集積回路を提供する。【解決手段】ＭＩＭＯ伝送方式を用いて送信装置からの送信信号を受信する受信装置ｂ１であって、送信装置が送信したストリームから固定ストリームを選択し、固定ストリーム以外のストリームを第１のストリーム群と第２のストリーム群に分割し、固定ストリーム、第１のストリーム群、および第２のストリーム群からなるストリーム情報を少なくとも１つ生成するストリーム選択部ｂ１０４と、ストリーム情報の各々について、固定ストリームの候補を少なくとも１つ生成し、固定ストリームの候補に基づいて第１のストリーム群の線形検出信号を生成し、既に生成された候補に基づいて第２のストリーム群のストリームの候補を決定することで、送信されたストリームの候補である送信候補を探索する送信候補探索部ｂ１０５と、を備える。【選択図】図３
2018011094.tif 000002
【特許請求の範囲】
【請求項１】
ＭＩＭＯ伝送方式を用いて送信装置からの送信信号を受信する受信装置であって、
前記送信装置が送信したストリームから固定ストリームを選択し、前記固定ストリーム以外のストリームを第１のストリーム群と第２のストリーム群に分割し、前記固定ストリーム、前記第１のストリーム群、および前記第２のストリーム群からなるストリーム情報を少なくとも１つ生成するストリーム選択部と、
前記ストリーム情報の各々について、前記固定ストリームの候補を少なくとも１つ生成し、前記固定ストリームの候補に基づいて前記第１のストリーム群の線形検出信号を生成し、既に生成された候補に基づいて前記第２のストリーム群のストリームの候補を決定することで、送信されたストリームの候補である送信候補を探索する送信候補探索部と、
を備える受信装置。
【請求項２】
前記送信候補探索部は、前記第１のストリーム群のみを用いた線形検出結果である非拘束線形検出信号を生成し、
前記非拘束線形検出信号を前記固定ストリームに基づいて修正することで前記線形検出信号を生成する、
請求項１に記載の受信装置。
【請求項３】
前記ストリーム選択部は、
全ストリームを１つずつ前記固定ストリームとして選択することで、ストリーム数のストリーム情報を選択する請求項１または２に記載の受信装置。
【請求項４】
前記ストリーム選択部は、
前記固定ストリームより等価振幅が大きいストリームを前記第１のストリーム群として選択し、前記固定ストリームより等価振幅が小さいストリームを前記第２のストリーム群として選択する請求項１から３のいずれかに記載の受信装置。
【請求項５】
生成された前記送信候補に基づいてビット対数尤度比を算出するＬＬＲ算出部を備える請求項１から４のいずれかに記載の受信装置。
【請求項６】
一部のストリームを固定し、残りのストリームは既に生成された候補に基づいて候補を決定することで第２の送信候補を生成し、前記ＬＬＲ算出部が用いる前記送信候補に追加する第２の送信候補探索部を備える請求項５に記載の受信装置。
【請求項７】
前記ストリーム選択部は、
前記第２の送信候補探索部が固定するストリームを精度の昇順に選択する請求項６に記載の受信装置。
【請求項８】
ＭＩＭＯ伝送方式を用いて送信装置からの送信信号を受信する受信方法であって、
前記送信装置が送信したストリームから固定ストリームを選択し、前記固定ストリーム以外のストリームを第１のストリーム群と第２のストリーム群に分割し、前記固定ストリーム、前記第１のストリーム群、および前記第２のストリーム群からなるストリーム情報を少なくとも１つ生成するストリーム選択過程と、
前記ストリーム情報の各々について、前記固定ストリームの候補を少なくとも１つ生成し、前記固定ストリームの候補に基づいて前記第１のストリーム群の線形検出信号を生成し、既に生成された候補に基づいて前記第２のストリーム群のストリームの候補を決定することで、送信されたストリームの候補である送信候補を探索する送信候補探索過程と、
を備える受信方法。
【請求項９】
ＭＩＭＯ伝送方式を用いて送信装置からの送信信号を受信する受信装置に実装される集積回路であって、
前記送信装置が送信したストリームから固定ストリームを選択し、前記固定ストリーム以外のストリームを第１のストリーム群と第２のストリーム群に分割し、前記固定ストリーム、前記第１のストリーム群、および前記第２のストリーム群からなるストリーム情報を少なくとも１つ生成するストリーム選択手段と、
前記ストリーム情報の各々について、前記固定ストリームの候補を少なくとも１つ生成し、前記固定ストリームの候補に基づいて前記第１のストリーム群の線形検出信号を生成し、既に生成された候補に基づいて前記第２のストリーム群のストリームの候補を決定することで、送信されたストリームの候補である送信候補を探索する送信候補探索手段と、
を備える集積回路。
【発明の詳細な説明】
【技術分野】
【０００１】
本発明は、受信装置、受信方法および集積回路に関する。
【背景技術】
【０００２】
近年、大容量高速情報通信を実現するための技術として、ＭＩＭＯ（Ｍｕｌｔｉｐｌｅ  Ｉｎｐｕｔ  Ｍｕｌｔｉｐｌｅ  Ｏｕｔｐｕｔ）通信が注目されている。図１２は、ＭＩＭＯ通信の一例を示す概略図であり、送信装置ａ１が送信アンテナａ１−１〜ａ１−ＮＴを備え、受信装置ｂ１が受信アンテナｂ１−１〜ｂ１−ＮＲを備えている。ＮＴは送信アンテナ数であり、ＮＲは受信アンテナ数である。このＭＩＭＯ通信では、異なる情報を同一時刻、同一周波数で送受信し、情報ビットレートを大幅に増大させることができる。
【０００３】
下記非特許文献１には、ＭＩＭＯ通信における受信方法が記載されている。伝送特性の優れた受信方法として、ＭＬＤ（Ｍａｘｉｍｕｍ  Ｌｉｋｅｌｉｈｏｏｄ  Ｄｅｔｅｃｔｉｏｎ）が記載されている。ＭＬＤは、取り得る送信候補の中で、受信信号との２乗ノルムを最小とするものを選択する受信方法である。また、低演算量で実現できる受信方法として、ＺＦ（Ｚｅｒｏ  Ｆｏｒｃｉｎｇ）やＭＭＳＥ（Ｍｉｎｉｍｕｍ  Ｍｅａｎ  Ｓｑｕａｒｅ  Ｅｒｒｏｒ）を用いる線形検出が記載されている。線形検出は、受信信号に重み行列を乗算してから信号判定を行う受信方法である。
【先行技術文献】
【非特許文献】
【０００４】
【非特許文献１】Ａ．  Ｊ．  Ｐａｕｌｒａｊ  ｅｔ  ａｌ．，”Ａｎ  Ｏｖｅｒｖｉｅｗ  ｏｆ  ＭＩＭＯ  Ｃｏｍｍｕｎｉｃａｔｉｏｎｓ−ａ  Ｋｅｙ  ｔｏ  Ｇｉｇａｂｉｔ  Ｗｉｒｅｌｅｓｓ，”  Ｐｒｏｃ．  ＩＥＥＥ，  ｖｏｌ．  ９２，  ｎｏ．  ２，  Ｆｅｂ．  ２００４，  ｐｐ．  １９８−２１８．
【発明の概要】
【発明が解決しようとする課題】
【０００５】
しかしながら、ＭＬＤは、送信アンテナ数や変調多値数が増加すると演算量が大幅に増大するという問題がある。また、線形検出は、十分な伝送特性が得られず、ＭＩＭＯ通信の有効性を活かせないという問題がある。
【０００６】
本発明は、このような事情を鑑みてなされたものであり、その目的は、低演算量で優れた伝送特性を実現できるＭＩＭＯの受信装置、受信方法および集積回路を提供することにある。
【課題を解決するための手段】
【０００７】
上述した課題を解決するために本発明に係る受信装置、受信方法および集積回路の構成は、次の通りである。
【０００８】
（１）本発明の一態様による受信装置は、ＭＩＭＯ伝送方式を用いて送信装置からの送信信号を受信する受信装置であって、前記送信装置が送信したストリームから固定ストリームを選択し、前記固定ストリーム以外のストリームを第１のストリーム群と第２のストリーム群に分割し、前記固定ストリーム、前記第１のストリーム群、および前記第２のストリーム群からなるストリーム情報を少なくとも１つ生成するストリーム選択部と、前記ストリーム情報の各々について、前記固定ストリームの候補を少なくとも１つ生成し、前記固定ストリームの候補に基づいて前記第１のストリーム群の線形検出信号を生成し、既に生成された候補に基づいて前記第２のストリーム群のストリームの候補を決定することで、送信されたストリームの候補である送信候補を探索する送信候補探索部と、を備える。
【０００９】
（２）また、本発明の一態様による受信装置は、前記送信候補探索部は、前記第１のストリーム群のみを用いた線形検出結果である非拘束線形検出信号を生成し、前記非拘束線形検出信号を前記固定ストリームに基づいて修正することで前記線形検出信号を生成する。
【００１０】
（３）また、本発明の一態様による受信装置は、前記ストリーム選択部は、全ストリームを１つずつ前記固定ストリームとして選択することで、ストリーム数のストリーム情報を選択する。
【００１１】
（４）また、本発明の一態様による受信装置は、前記ストリーム選択部は、前記固定ストリームより等価振幅が大きいストリームを前記第１のストリーム群として選択し、前記固定ストリームより等価振幅が小さいストリームを前記第２のストリーム群として選択する。
【００１２】
（５）また、本発明の一態様による受信装置は、生成された前記送信候補に基づいてビット対数尤度比を算出するＬＬＲ算出部を備える。
【００１３】
（６）また、本発明の一態様による受信装置は、一部のストリームを固定し、残りのストリームは既に生成された候補に基づいて候補を決定することで第２の送信候補を生成し、前記ＬＬＲ算出部が用いる前記送信候補に追加する第２の送信候補探索部を備える。
【００１４】
（７）また、本発明の一態様による受信装置は、前記ストリーム選択部は、前記第２の送信候補探索部が固定するストリームを精度の昇順に選択する。
【００１５】
（８）本発明の受信方法は、ＭＩＭＯ伝送方式を用いて送信装置からの送信信号を受信する受信方法であって、前記送信装置が送信したストリームから固定ストリームを選択し、前記固定ストリーム以外のストリームを第１のストリーム群と第２のストリーム群に分割し、前記固定ストリーム、前記第１のストリーム群、および前記第２のストリーム群からなるストリーム情報を少なくとも１つ生成するストリーム選択過程と、前記ストリーム情報の各々について、前記固定ストリームの候補を少なくとも１つ生成し、前記固定ストリームの候補に基づいて前記第１のストリーム群の線形検出信号を生成し、既に生成された候補に基づいて前記第２のストリーム群のストリームの候補を決定することで、送信されたストリームの候補である送信候補を探索する送信候補探索過程と、を備える。
【００１６】
（９）本発明の集積回路は、ＭＩＭＯ伝送方式を用いて送信装置からの送信信号を受信する受信装置に実装される集積回路であって、前記送信装置が送信したストリームから固定ストリームを選択し、前記固定ストリーム以外のストリームを第１のストリーム群と第２のストリーム群に分割し、前記固定ストリーム、前記第１のストリーム群、および前記第２のストリーム群からなるストリーム情報を少なくとも１つ生成するストリーム選択手段と、前記ストリーム情報の各々について、前記固定ストリームの候補を少なくとも１つ生成し、前記固定ストリームの候補に基づいて前記第１のストリーム群の線形検出信号を生成し、既に生成された候補に基づいて前記第２のストリーム群のストリームの候補を決定することで、送信されたストリームの候補である送信候補を探索する送信候補探索手段と、を備える。
【発明の効果】
【００１７】
本発明によれば、ＭＩＭＯ通信において、受信装置は低演算量で良好な伝送特性を実現することができる。
【図面の簡単な説明】
【００１８】
【図１】本発明の第１の実施形態に係る送信装置ａ１の構成例を示す概略図である。
【図２】本発明の第１の実施形態に係る送信装置ａ１が送信するパイロットシンボルの一例である。
【図３】本発明の第１の実施形態に係る受信装置ｂ１の構成例を示す概略図である。
【図４】ＱＰＳＫ（Ｑｕａｄｒａｔｕｒｅ  Ｐｈａｓｅ  Ｓｈｉｆｔ  Ｋｅｙｉｎｇ；４相位相変調）の一例である。
【図５】本発明の第１の実施形態に係る受信装置ｂ１の動作を示すフローチャートである。
【図６】本発明の第２の実施形態に係る送信装置ａ２の構成例を示す概略図である。
【図７】本発明の第２の実施形態に係る送信装置ａ２が送信するパイロットシンボルの一例である。
【図８】本発明の第２の実施形態に係る受信装置ｂ２の構成例を示す概略図である。
【図９】本発明の第２の実施形態に係る受信装置ｂ２の動作を示すフローチャートである。
【図１０】本発明の第３の実施形態に係る受信装置ｂ３の構成例を示す概略図である。
【図１１】本発明の第３の実施形態に係る受信装置ｂ３の動作を示すフローチャートである。
【図１２】ＭＩＭＯ通信の一例を示す概略図である。
【発明を実施するための形態】
【００１９】
以下、本発明の実施の形態について添付図面を参照して説明する。
【００２０】
以下の実施形態では、送信装置が、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；直交周波数分割多重）方式を用いてデータ伝送を行う例について説明する。ただし、以下の実施形態において、その他の伝送方式、例えば、シングルキャリア伝送、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ；単一キャリア周波数分割多元アクセス）、ＤＦＴ−ｓ−ＯＦＤＭ（Ｄｉｓｃｒｅｔｅ  Ｆｏｕｒｉｅｒ  Ｔｒａｎｓｆｏｒｍ−ｓｐｒｅａｄ−ＯＦＤＭ；離散フーリエ変換拡散ＯＦＤＭ）等のシングルキャリア伝送方式や、ＭＣ−ＣＤＭＡ（Ｍｕｌｔｉｐｌｅ  Ｃａｒｒｉｅｒ−Ｃｏｄｅ  Ｄｉｖｉｓｉｏｎ  Ｍｕｌｔｉｐｌｅ  Ａｃｃｅｓｓ；多重キャリア符号分割多重アクセス）等のマルチキャリア伝送方式を用いてもよい。
【００２１】
（第１の実施形態）
以下、本発明の第１の実施形態について説明する。図１は、送信装置ａ１の構成を示す概略ブロック図である。この図において、送信装置ａ１は、Ｓ／Ｐ（Ｓｅｒｉａｌ／Ｐａｒａｌｌｅｌ）変換部ａ１０１、変調部ａ１０２−ｋ、パイロット生成部ａ１０３、マッピング部ａ１０４−ｋ、送信部ａ１０５−ｋを含んで構成される。ここで、ｋ＝１、・・・、ＮＴである。また、図１では送信アンテナａ１−ｋを併せて示す。
【００２２】
Ｓ／Ｐ変換部ａ１０１は、入力される情報ビットをシリアルパラレル変換し、変調部ａ１０２−ｋに出力する。
【００２３】
パイロット生成部ａ１０３は、受信装置がチャネル推定を行うためのパイロットシンボル（参照信号ともいう）を生成し、そのパイロットシンボルをマッピング部ａ１０４−ｋに出力する。
【００２４】
マッピング部ａ１０４−ｋは、変調部ａ１０２−ｋから入力される変調シンボルと、パイロット生成部ａ１０３から入力されるパイロットシンボルを、予め定められたマッピング情報に基づいてマッピングし、送信信号を生成する。マッピング部ａ１０４−ｋは、生成した送信信号を送信部ａ１０５−ｋに出力する。
【００２５】
送信部ａ１０５−ｋは、マッピング部ａ１０４−ｋから入力される送信信号をデジタル・アナログ変換し、変換したアナログ信号を波形整形する。送信部ａ１０５−ｋは、波形整形した信号をベースバンド帯から無線周波数帯にアップコンバートし、送信アンテナａ１−ｋから受信装置ｂ１へ送信する。
【００２６】
図２はマッピング部ａ１０４−ｋの出力例である。この例において、ＮＴは８に設定されている。この図において、あるストリームのパイロットシンボルを送信するタイミングでは、他のストリームのデータは送信されない。受信装置ｂ１は、パイロットシンボルしか送信されていない時刻の受信信号を用いてチャネル推定を行うことができる。
【００２７】
図３は、本実施形態に係る受信装置ｂ１の構成を示す概略ブロック図である。この図において、受信装置ｂ１は、受信部ｂ１０１−ｒ、デマッピング部ｂ１０２−ｒ、チャネル推定部ｂ１０３、ストリーム選択部ｂ１０４、送信候補探索部ｂ１０５を含んで構成される。ここで、ｒ＝１、・・・、ＮＲである。また、図３には受信アンテナｂ１−ｒを併せて示す。
【００２８】
受信部ｂ１０１−ｒは、送信装置ａ１が送信した送信信号を、受信アンテナｂ１−ｒを介して受信する。受信部ｂ１０１−ｒは、周波数変換及びアナログ−デジタル変換を、受信した信号に対して行う。受信部ｂ１０１−ｒは、変換した受信信号をデマッピング部ｂ１０２−ｒに出力する。
【００２９】
デマッピング部ｂ１０２−ｒは、パイロットシンボルが送信された時間タイミングの受信信号とデータが送信された時間タイミングの受信信号を分離する。デマッピング部ｂ１０２−ｒは、パイロットシンボルが送信された時間タイミングの受信信号をチャネル推定部ｂ１０３に出力する。デマッピング部ｂ１０２−ｒは、データが送信された時間タイミングの受信信号を送信候補探索部ｂ１０５に出力する。
【００３０】
チャネル推定部ｂ１０３は、デマッピング部ｂ１０２−ｒから入力されるパイロットシンボルが送信された時間タイミングの受信信号を用いてチャネル推定を行い、チャネル値を算出する。チャネル推定部ｂ１０３は、算出したチャネル値をストリーム選択部ｂ１０４及び送信候補探索部ｂ１０５に出力する。
【００３１】
ストリーム選択部ｂ１０４は、チャネル推定部ｂ１０３から入力されるチャネル値に基づいて、固定ストリームと、線形検出を行う線形ストリーム（第１のストリーム群）と、非線形処理を行う非線形ストリーム（第２のストリーム群）を選択する。なお、線形ストリームと非線形ストリームのいずれかが１つも選択されなくてもよい。ストリーム選択部ｂ１０４は、選択した固定ストリーム、線形ストリーム、非線形ストリームからなるストリーム情報を送信候補探索部ｂ１０５に出力する。１つのストリーム情報における固定ストリームは１つとすることができる。ストリーム選択部ｂ１０４は複数のストリーム情報を出力してもよい。線形ストリームは、固定ストリームより精度の良いストリームとすることができる。非線形ストリームは、固定ストリームより精度の悪いストリームとすることができる。あるストリームの精度の良し悪しは、そのストリームの等価振幅を用いて評価することができる。具体的に、第ｋストリームの等価振幅は、ＮＲ×ＮＴのチャネル行列Ｈと、雑音電力σ２を用いて次式（１）、（２）のように求めることができる。
【数１】
2018011094.tif 000003
【００３２】
ただし、ｃｋは第ｋ要素が１で他の要素が０のＮＴ次元のベクトルであり、Ｉｂはｂ×ｂの単位行列である。また、行列ＸＨは行列Ｘの複素共役転置である。以後、ストリーム番号の昇順に精度が大きくなるようにストリームが並び替えられたものとする。
【００３３】
並び替えられたストリームにおいて、ストリーム選択部ｂ１０４は、固定ストリーム番号ｋを１からＮＴのそれぞれに設定した場合のストリーム情報を生成することができる。例えば、ＮＴ＝５の場合、ストリーム情報を（固定ストリーム、線形ストリーム、非線形ストリーム）のように表すとすると、（１、［２、３、４、５］、［］）、（２、［３、４、５］、［１］）、（３、［４、５］、［１、２］）、（４、［５］、［１、２、３］）、（５、［］、［１、２、３、４］）のような５通りのストリーム情報を生成することができる。
【００３４】
送信候補探索部ｂ１０５は、まず固定ストリームの変調シンボルを固定する。送信候補探索部ｂ１０５は、固定した変調シンボルに基づいて、線形ストリームの線形検出信号を生成する。具体的に、第ｋストリームが変調シンボルをｂ（ｍ）に固定された場合、第ｖ（ｖ＞ｋ）ストリームの線形検出信号ｓｖ（ｍ，ｋ）は次式（３）、（４）のように生成することができる。
【数２】
2018011094.tif 000004
【００３５】
ただし、ｘｖは第ｖストリームの非拘束線形検出信号であり、ｙはＮＲ次元の受信信号ベクトルである。ｓｖ（ｍ，ｋ）を硬判定することで、線形ストリームの候補を決定する。具体的に、第ｖ（ｖ＞ｋ）ストリームのシンボル番号ｍｖを決定する。次に、ｖ＜ｋについては、次式（５）のようにＳＩＣ（Successive Interference Canceller）を用いて生成することができる。
【数３】
2018011094.tif 000005
【００３６】
ただし、ｍｋ＝ｍとする。また、ＲはＮＴ×ＮＴの上三角行列であり、次式（６）のようなＱＲ分解により得られる。
【数４】
2018011094.tif 000006
【００３７】
ただし、Ｑ１はＮＲ×ＮＴのユニタリ行列の部分行列であり、Ｑ２はＮＴ×ＮＴのユニタリ行列の部分行列である。また、式（５）中のｙ’はＮＴ次元の三角化受信信号ベクトルであり、次式（７）のように生成することができる。
【数５】
2018011094.tif 000007
【００３８】
このように、第ｋストリームを固定ストリームとしたときの送信候補をｍ＝１、・・・、Ｍに対して生成することができる。ｓｖ（ｍ，ｋ）をｖ＝１、・・・、ＮＴについて並べたベクトルを送信候補と称する。
【００３９】
送信候補探索部ｂ１０５は、得られる信号候補全てに対してメトリックを計算し、メトリックが最小となる信号候補を選択し、対応するビット系列を出力することができる。なお、信号候補に非拘束線形検出信号を硬判定した結果を含めることができる。第ｉ送信候補をｚ（ｉ）とすると、第ｉ送信候補のメトリックは次式（８）で計算することができる。
【数６】
2018011094.tif 000008
【００４０】
なお、ストリーム選択部ｂ１０４がｋ＝１、・・・、ＮＴのそれぞれを固定ストリームとし、送信候補探索部ｂ１０５が各固定ストリームにおいてｍ＝１、・・・、Ｍについて送信候補を生成する場合、ｉ＝０、・・・、ＭＮＴのように１＋ＭＮＴ個の送信候補とメトリックを生成することができる。
【００４１】
図４は、ＱＰＳＫを用いる場合の変調シンボル番号ｍｖと変調点の関係の一例である。ｄｖ，１とｄｖ，２は第ｖストリームにおける第１ビットと第２ビットである。
【００４２】
＜受信装置ｂ１の動作について＞
図５は、本実施形態に係る受信装置の動作を示すフローチャートである。なお、この図が示す動作は、図３のデマッピング部ｂ１０２−ｒが、データが送信された時間タイミングの受信信号とパイロットシンボルが送信された時間タイミングの受信信号を分離した後の処理である。
【００４３】
（ステップＳ１０１）チャネル推定部ｂ１０３は、パイロットシンボルが送信された時間タイミングの受信信号に基づいてチャネル推定を行う。その後、ステップＳ１０２へ進む。
【００４４】
（ステップＳ１０２）ストリーム選択部ｂ１０４は、ステップＳ１０１で得られるチャネル値に基づいて、ストリームを精度の昇順に並び替える。その後、ステップＳ１０３へ進む。
【００４５】
（ステップＳ１０３）ストリーム選択部ｂ１０４は、固定ストリーム、線形ストリーム、非線形ストリームからなるストリーム情報を生成し、送信候補探索部ｂ１０５へ出力する。その後、ステップＳ１０４へ進む。
【００４６】
（ステップＳ１０４）送信候補探索部ｂ１０５は、各ストリーム情報において、線形ストリームについては固定ストリームに基づいた線形検出信号を生成してその候補を決定し、非線形ストリームにはＳＩＣを用いてその候補を生成する。その後、ステップＳ１０５へ進む。
【００４７】
（ステップＳ１０５）送信候補探索部ｂ１０５は、ステップＳ１０４で得られる送信候補のメトリックを算出する。その後、最小メトリックとなる送信候補に対応するビット系列を出力し、受信装置ｂ１は処理を終了する。
【００４８】
このように、本実施形態によれば、固定ストリームと線形ストリームと非線形ストリームを選択し、線形ストリームには固定ストリームに基づいた線形検出、非線形ストリームにはＳＩＣを用いることで、低演算量で優れた伝送特性を実現することができる。
【００４９】
なお、上記第１の実施形態において、各ストリームが用いる変調方式が異なってもよい。例えば、ＱＰＳＫと１６ＱＡＭが混在してもよい。
【００５０】
なお、上記第１の実施形態において、ストリーム選択部ｂ１０４は、チャネル値から得られる等価振幅に基づいてストリームの並び替えを行ったが、Ｐの対角成分の降順としてもよい。このようにしても精度が昇順となるように並び替えることができる。
【００５１】
なお、上記第１の実施形態において、ＮＴ個のストリームを多重する場合について説明したが、少なくてもよい。送信アンテナ数がＮＴで、多重ストリーム数をＮ∪としてもよい。すなわち、図１の変調部ａ１０２−ｋとマッピング部ａ１０４−ｋのうち、ｋ＝１、・・・、ＮＵのみを用いるようにしてもよい。この場合、式（２）のチャネル行列がＮＲ行ＮＵ列になるだけで、上記で説明した方法をそのまま用いることができる。これは以後の実施形態でも同様である。
【００５２】
（第２の実施形態）
以下、図面を参照しながら本発明の第２の実施形態について詳しく説明する。第１の実施形態では、受信装置ｂ１が、固定ストリームに基づいて線形ストリームの線形検出信号を生成し、非線形ストリームにＳＩＣを行って生成された信号候補であって最小メトリックとなる信号候補に対応するビット系列を出力する。本実施形態では、送信装置が符号化を行い、受信装置がビットＬＬＲ（Ｌｏｇ  Ｌｉｋｅｌｉｈｏｏｄ  Ｒａｔｉｏ；対数尤度比）を算出し、算出したＬＬＲを用いて復号を行う方法について説明する。
【００５３】
図６は、本発明の第２の実施形態の実施形態に係る送信装置ａ２の構成を示す概略ブロック図である。この図において、送信装置ａ２は、Ｓ／Ｐ変換部ａ２０１、符号化部ａ２０２−ｌ、変調部ａ２０３−ｌ、レイヤーマッピング部ａ２０４、パイロット生成部ｂ２０５、プリコーディング部ａ２０６、ＲＥ（Ｒｅｓｏｕｒｃｅ  Ｅｌｅｍｅｎｔ；リソースエレメント）マッピング部ａ２０７−ｋ、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；直交周波数分割多重）信号生成部ａ２０８−ｋ、送信部ａ２０９−ｋを含んで構成される。ここで、ｌ＝１、・・・、ＮＣであり、ｋ＝１、・・・、ＮＴである。また、ＮＣはコードワード数であり、符号化する個数を表す。また、リソースエレメントは、１つのＯＦＤＭシンボルにおける１つのサブキャリアを表し、変調シンボルやパイロットシンボルを配置する物理リソースである。また、図６では送信アンテナａ１−ｋを併せて示す。
【００５４】
Ｓ／Ｐ変換部ａ２０１は、入力される情報ビットをシリアルパラレル変換し、符号化部ａ２０２−ｌに出力する。
【００５５】
符号化部ａ２０２−ｌは、Ｓ／Ｐ変換部ａ２０１から入力されるビットを畳込み符号、ターボ符号、ＬＤＰＣ（Ｌｏｗ  Ｄｅｎｓｉｔｙ  Ｐａｒｉｔｙ  Ｃｈｅｃｋ；低密度パリティ検査）符号などの誤り訂正符号を用いて符号化し、符号化ビットを生成する。符号化部ａ２０２−ｌは符号化ビットを変調部ａ２０３−ｌに出力する。
【００５６】
変調部ａ２０３−ｌは、符号化部ａ２０２−ｌから入力される符号化ビットを、ＰＳＫやＱＡＭなどの変調方式を用いて変調することで、変調シンボルを生成する。変調部ａ２０３−ｌは、生成した変調シンボルをレイヤーマッピング部ａ２０４に出力する。
【００５７】
レイヤーマッピング部ａ２０４は、変調部ａ２０３−ｌから入力される変調シンボルを、１、・・・、ＮＴのストリームのいずれかに割り振り、プリコーディング部ａ２０６に出力する。
【００５８】
パイロット生成部ａ２０５は、受信装置がチャネル推定を行うためのパイロットシンボルを生成し、そのパイロットシンボルをプリコーディング部ａ２０６に出力する。
【００５９】
プリコーディング部ａ２０６は、レイヤーマッピング部ａ２０４から入力される変調シンボルとパイロット生成部ａ２０５から入力されるパイロットシンボルにプリコーディングを行う。具体的に、コードブックに基づいたユニタリ行列又はユニタリ行列の部分行列を乗算することができる。また、ＳＴＢＣ（Ｓｐａｃｅ  Ｔｉｍｅ  Ｂｌｏｃｋ  Ｃｏｄｅ）やＳＦＢＣ（Ｓｐａｃｅ  Ｆｒｅｑｕｅｎｃｙ  Ｂｌｏｃｋ  Ｃｏｄｅ）等を用いてもよい。
【００６０】
ＲＥマッピング部ａ２０７−ｋは、プリコーディング部ａ２０６から入力されるプリコーディングが行われた変調シンボルとパイロットシンボルを、リソースエレメントにマッピングする。ＲＥマッピング部ａ２０７−ｋは、マッピングしたリソースエレメントのシンボルをＯＦＤＭ信号生成部ａ２０８−ｋに出力する。
【００６１】
ＯＦＤＭ信号生成部ａ２０８−ｋは、ＲＥマッピング部ａ２０７−ｋから入力されるシンボルに周波数時間変換を行い、時間領域の信号を生成する。具体的に、周波数時間変換にはＩＦＦＴ（Ｉｎｖｅｒｓｅ  Ｆａｓｔ  Ｆｏｕｒｉｅｒ  Ｔｒａｎｓｆｏｒｍ；逆高速フーリエ変換）を用いることができる。ＯＦＤＭ信号生成部ａ２０８−ｋは、生成した時間領域の信号にＣＰ（Ｃｙｃｌｉｃ  Ｐｒｅｆｉｘ；サイクリックプリフィックス）を負荷し、ＯＦＤＭ信号を生成する。ここで、ＣＰとは、周波数時間変換で得られた時間領域の信号の後方の一部であり、その一部の信号はその時間領域の信号の前方に付加される。なお、ＣＰが時間領域の信号の前方の一部のコピーであり、そのコピーが時間領域の信号の後方に付加されるようにしてもよい。なお、ＣＰはＧｏｌａｙ符号などで生成した既知系列であってもよい。ＯＦＤＭ信号生成部ａ２０８−ｋは、生成したＯＦＤＭ信号を送信部ａ２０９−ｋに出力する。
【００６２】
送信部ａ２０９−ｋは、ＯＦＤＭ信号生成部ａ２０８−ｋから入力されるＯＦＤＭ信号をデジタル・アナログ変換し、変換したアナログ信号を波形整形する。送信部ａ２０９−ｋは、波形整形した信号をベースバンド帯から無線周波数帯にアップコンバートし、送信アンテナａ１−ｋから受信装置ｂ２へ送信する。
【００６３】
図７はＲＥマッピング部ａ２０７−ｋの出力例である。例えば、ＮＴ＝８の場合において、リソースエレメント＃１をｋ＝１、２、５、７のパイロット位置とし、リソースエレメント＃２をｋ＝３、４、６、８のパイロット位置とすることができる。受信装置ｂ２は、これらのリソースエレメントにおける受信信号を用いてチャネル推定を行うことができる。各ストリームのパイロットシンボルは、例えば、符号多重されてもよい。
【００６４】
図８は、本発明の第２の実施形態に係る受信装置ｂ２の構成を示す概略ブロック図である。この図において、受信装置ｂ２は、受信部ｂ２０１−ｒ、時間周波数変換部ｂ２０２−ｒ、デマッピング部ｂ２０３−ｒ、チャネル推定部ｂ２０４、ストリーム選択部ｂ２０５、送信候補探索部ｂ２０６、ＬＬＲ算出部ｂ２０７、復号部ｂ２０８を含んで構成される。ここで、ｒ＝１、・・・、ＮＲである。また、図８では受信アンテナｂ１−ｒを併せて示す。
【００６５】
受信部ｂ２０１−ｒは、送信装置ａ２が送信したＯＦＤＭ送信信号を、受信アンテナｂ１−ｒを介して受信する。受信部ｂ２０１−ｒは、周波数変換及びアナログ−デジタル変換を、受信した信号に対して行う。受信部ｂ２０１−ｒは、変換した受信信号を時間周波数変換部ｂ２０２−ｒに出力する。
【００６６】
時間周波数変換部ｂ２０２−ｒは、ＣＰを、受信部ｂ２０１−ｒから入力される受信信号から除去する。時間周波数変換部ｂ２０２−ｒは、ＣＰを除去した信号に時間周波数変換を行う。具体的に、時間周波数変換にはＦＦＴ（Ｆａｓｔ  Ｆｏｕｒｉｅｒ  Ｔｒａｎｓｆｏｒｍ；高速フーリエ変換）を用いることができる。時間周波数変換部ｂ２０２−ｒは、変換した周波数領域の受信信号をデマッピング部ｂ２０３−ｒに出力する。
【００６７】
デマッピング部ｂ２０３−ｒは、データが送信されたリソースエレメントとパイロットシンボルが送信されたリソースエレメントを、時間周波数変換部ｂ２０２−ｒから入力される周波数領域の信号から分離する。デマッピング部ｂ２０３−ｒは、データが送信されたリソースエレメントの受信信号を送信候補探索部ｂ２０６に出力する。デマッピング部ｂ２０３−ｒは、パイロットシンボルが送信されたリソースエレメントの受信信号をチャネル推定部ｂ２０４に出力する。
【００６８】
チャネル推定部ｂ２０４は、デマッピング部ｂ２０３−ｒから入力されるパイロットシンボルが送信されたリソースエレメントの受信信号を用いてチャネル推定を行い、チャネル値を算出する。チャネル推定部ｂ２０４は、算出したチャネル値をストリーム選択部ｂ２０５及び送信候補探索部ｂ２０６に出力する。
【００６９】
ストリーム選択部ｂ２０５は、チャネル推定部ｂ２０４から入力されるチャネル値に基づいて、第１の実施形態と同様に、固定ストリームと、線形検出を行う線形ストリームと、非線形処理を行う非線形ストリームを選択する。なお、線形ストリームと非線形ストリームのいずれかが１つも選択されなくてもよい。ストリーム選択部ｂ２０５は、選択した固定ストリーム、線形ストリーム、非線形ストリームからなるストリーム情報を送信候補探索部ｂ２０６に出力する。１つのストリーム情報における固定ストリームは１つとすることができる。ストリーム選択部ｂ１０４は複数のストリーム情報を出力してもよい。線形ストリームは、固定ストリームより精度の良いストリームとすることができる。非線形ストリームは、固定ストリームより精度の悪いストリームとすることができる。あるストリームの精度の良し悪しは、第１の実施形態と同様にそのストリームの等価振幅を用いて評価することができる。
【００７０】
送信候補探索部ｂ２０６は、第１の実施形態と同様に固定ストリームの変調シンボルを固定する。送信候補探索部ｂ２０５は、固定した変調シンボルに基づいて、線形ストリームの線形検出信号を生成し、生成した線形検出信号に基づいて線形ストリームの候補を決定する。送信候補探索部ｂ２０５は、同様に非線形ストリームの候補をＳＩＣを用いて決定する。送信候補探索部ｂ２０６は、非拘束線形検出信号を硬判定した結果を信号候補に含めることができる。これらは第１の実施形態と同様である。
【００７１】
ＬＬＲ算出部ｂ２０７は、送信候補探索部ｂ２０６から入力される送信候補を用いて、送信ビットのＬＬＲを算出する。第ｖストリームにおける第ｑビットのＬＬＲ  λ（ｄｋ，ｑ）は、ｄｋ，ｑが０となる送信候補の最小メトリックと、ｄｋ，ｑが１となる送信候補の最小メトリックと雑音電力を用いて次式（９）のように算出することができる。
【数７】
2018011094.tif 000009
【００７２】
ＬＬＲ算出部ｂ２０７は、算出したＬＬＲを復号部ｂ２０８に出力する。
【００７３】
復号部ｂ２０８は、ＬＬＲ算出部ｂ２０７から入力されるＬＬＲに基づいて、例えば、最尤復号法、最大事後確率（ＭＡＰ；Ｍａｘｉｍｕｍ  Ａ  ｐｏｓｔｅｒｉｏｒｉ  Ｐｒｏｂａｂｉｌｉｔｙ）、ｌｏｇ−ＭＡＰ、Ｍａｘ−ｌｏｇ−ＭＡＰ、ＳＯＶＡ（Ｓｏｆｔ  Ｏｕｔｐｕｔ  Ｖｉｔｅｒｂｉ  Ａｌｇｏｒｉｔｈｍ）等を用いて、復号処理を行う。
【００７４】
＜受信装置ｂ２の動作について＞
図９は、本実施形態に係る受信装置の動作を示すフローチャートである。なお、この図が示す動作は、図８のデマッピング部ｂ２０３−ｒが、データが送信されたリソースエレメントの受信信号とパイロットシンボルが送信されたリソースエレメントの受信信号を分離した後の処理である。
【００７５】
（ステップＳ２０１）チャネル推定部ｂ２０４は、パイロットシンボルが送信されたリソースエレメントの受信信号に基づいてチャネル推定を行う。その後、ステップＳ２０２へ進む。
【００７６】
（ステップＳ２０２）ストリーム選択部ｂ２０５は、ステップＳ２０１で得られるチャネル値に基づいて、ストリームを精度の昇順に並び替える。その後、ステップＳ２０３へ進む。
【００７７】
（ステップＳ２０３）ストリーム選択部ｂ２０５は、固定ストリーム、線形ストリーム、非線形ストリームからなるストリーム情報を生成し、送信候補探索部ｂ２０６へ出力する。その後、ステップＳ２０４へ進む。
【００７８】
（ステップＳ２０４）送信候補探索部ｂ２０６は、各ストリーム情報において、線形ストリームについては固定ストリームに基づいた線形検出信号を生成してその候補を決定し、非線形ストリームにはＳＩＣを用いてその候補を生成する。その後、ステップＳ２０５へ進む。
【００７９】
（ステップＳ２０５）ＬＬＲ算出部ｂ２０７は、ステップＳ２０４で得られる送信候補に基づいて、送信ビットのＬＬＲを算出する。その後、ステップＳ２０６へ進む。
【００８０】
（ステップＳ２０６）復号部ｂ２０８は、ステップＳ２０５で得られる送信ビットのＬＬＲに基づいて、復号を行う。その後、復号されたビット系列を出力し、受信装置ｂ２は処理を終了する。
【００８１】
このように、本実施形態によれば、固定ストリームと線形ストリームと非線形ストリームを選択し、線形ストリームには固定ストリームに基づいた線形検出、非線形ストリームにはＳＩＣを用いて送信候補を生成する。このように生成された送信候補からＬＬＲを算出し、算出したＬＬＲを用いて復号を行うことで、低演算量で優れた伝送特性を実現することができる。
【００８２】
（第３の実施形態）
以下、図面を参照しながら本発明の第３の実施形態について詳しく説明する。第２の実施形態では、受信装置ｂ２が、固定ストリームに基づいて線形ストリームの線形検出信号を生成し、非線形ストリームにＳＩＣを行って生成された信号候補を用いて送信ビットのＬＬＲを算出した。本実施形態では、最尤優先送信候補探索を行うことで、ＬＬＲ算出精度を向上させる方法について説明する。
【００８３】
なお、本発明の第３の実施形態に係る送信装置は、第２の実施形態に係る送信装置ａ２と構成が同じのため、説明を省略する。
【００８４】
図１０は、本発明の第３の実施形態に係る受信装置ｂ３の構成を示す概略ブロック図である。本実施形態に係る受信装置ｂ３（図１０）と第２の実施形態に係る受信装置ｂ２（図８）とを比較すると、ストリーム選択部ｂ３０５、送信候補探索部ｂ３０６、およびＬＬＲ算出部ｂ３０７が異なり、最尤優先送信候補探索部（第２の送信候補探索部）ｂ３０９を新たに備える。しかし、その他の構成要素（受信部ｂ２０１−ｒ、時間周波数変換部ｂ２０２−ｒ、デマッピング部ｂ２０３−ｒ、チャネル推定部ｂ２０４、復号部ｂ２０８）が持つ機能は第２の実施形態と同じである。第２の実施形態と同じ機能の説明は省略する。
【００８５】
ストリーム選択部ｂ３０５は、送信候補探索部ｂ３０６のためのストリーム並び替えだけでなく、最尤優先送信候補探索部ｂ３０９のためのストリーム並び替えも行う。例えば、ストリーム選択部ｂ３０５は、後ろのＮＫストリームを精度の悪いストリームとすることができる。ここで、ＮＫはＮＴを超えない自然数であり、最尤優先送信候補探索部ｂ３０９が用いる固定ストリームの数を表す。ＮＫは受信装置ｂ３を設計する段階で固定してもよいし、受信環境に応じて可変にしてもよい。精度の良さの尺度は等価振幅を用いることができる。精度の悪いストリーム選んだ後、次のストリームを選ぶ場合に等価振幅を更新してもよい。また、ストリーム選択部ｂ３０５は、残りのＮＴ−ＮＫストリームについては精度の昇順にストリームを並び替えることができる。なお、最尤優先送信候補探索部ｂ３０９のためのストリーム並び替えと、送信候補探索部ｂ３０６のためのストリーム並び替えは同じであってもよい。
【００８６】
最尤優先送信候補探索部ｂ３０９は、ストリーム選択部ｂ３０５によって並び替えられたストリームに対し、精度の良い最尤系列が得られるような送信候補（第２の送信候補）探索を行う。例えば、後ろのＮＫストリームには固定処理を行い、残りのＮＴ−ＮＫストリームにはＳＩＣを用いることができる。このようにすると、最尤系列のメトリックの精度を向上させることができる。また、メトリック算出を累積メトリック算出に分解し、累積メトリックが大きくなった送信候補は生成を止めてもよい。このようにすると、演算量を削減することができる。最尤優先送信候補探索部ｂ３０９は、得られる送信候補をＬＬＲ算出部ｂ３０７に出力する。
【００８７】
送信候補探索部ｂ３０６は、第２の実施形態と同様に送信候補探索を行う。送信候補探索部ｂ３０６は、最尤優先送信候補探索部ｂ３０９の結果を用いて処理を削減してもよい。
【００８８】
ＬＬＲ算出部ｂ３０７は、送信候補探索部ｂ３０６から入力される送信候補と、最尤優先送信候補探索部ｂ３０９から入力される送信候補を用いて、第２の実施形態と同様にＬＬＲ算出を行う。このようにすると、最尤優先送信候補探索部ｂ３０９から入力される送信候補による最尤メトリックの精度が高くなるため、ＬＬＲの精度を向上させることができ、伝送特性を改善することができる。
【００８９】
＜受信装置ｂ３の動作について＞
図１１は、本実施形態に係る受信装置の動作を示すフローチャートである。なお、この図が示す動作は、図１０のデマッピング部ｂ２０３−ｒが、データが送信されたリソースエレメントの受信信号とパイロットシンボルが送信されたリソースエレメントの受信信号を分離した後の処理である。
【００９０】
（ステップＳ３０１）チャネル推定部ｂ２０４は、パイロットシンボルが送信されたリソースエレメントの受信信号に基づいてチャネル推定を行う。その後、ステップＳ３０２へ進む。
【００９１】
（ステップＳ３０２）ストリーム選択部ｂ３０５は、ステップＳ３０１で得られるチャネル値に基づいて、送信候補探索部ｂ３０６のためにストリームを精度の昇順に並び替える。ストリーム選択部ｂ３０５は、ステップＳ３０１で得られるチャネル値に基づいて、最尤優先送信候補探索部ｂ３０９のためにストリームを並び替え、後ろのＮＫストリームが精度の低いものとなるようにする。その後、ステップＳ３０３へ進む。
【００９２】
（ステップＳ３０３）ストリーム選択部ｂ３０５は、固定ストリーム、線形ストリーム、非線形ストリームからなるストリーム情報を生成し、送信候補探索部ｂ３０６へ出力する。その後、ステップＳ３０４へ進む。
【００９３】
（ステップＳ３０４）最尤優先送信候補探索部ｂ３０９は、後ろのＮＫストリームを固定し、残りのＮＴ−ＮＫストリームにＳＩＣを行うことで送信候補を生成する。その後、ステップＳ３０５へ進む。
【００９４】
（ステップＳ３０５）送信候補探索部ｂ３０６は、各ストリーム情報において、線形ストリームについては固定ストリームに基づいた線形検出信号を生成してその候補を決定し、非線形ストリームにはＳＩＣを用いてその候補を生成する。その後、ステップＳ３０６へ進む。
【００９５】
（ステップＳ３０６）ＬＬＲ算出部ｂ３０７は、ステップＳ３０４とステップＳ３０５で得られる送信候補に基づいて、送信ビットのＬＬＲを算出する。その後、ステップＳ３０７へ進む。
【００９６】
（ステップＳ３０７）復号部ｂ２０８は、ステップＳ３０６で得られる送信ビットのＬＬＲに基づいて、復号を行う。その後、復号されたビット系列を出力し、受信装置ｂ３は処理を終了する。
【００９７】
このように、本実施形態によれば、固定ストリームと線形ストリームと非線形ストリームを選択し、線形ストリームには固定ストリームに基づいた線形検出、非線形ストリームにはＳＩＣを用いて送信候補を生成するだけでなく、最尤優先送信候補探索を行うことでＬＬＲの精度を向上させる。このように算出したＬＬＲを用いて復号を行うことで、低演算量で優れた伝送特性を実現することができる。
【００９８】
本発明に関わる送信装置ａ１、ａ２、受信装置ｂ１、ｂ２、ｂ３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００９９】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態において、図面を用いて説明した送信装置ａ１、ａ２、受信装置ｂ１、ｂ２、ｂ３の一部、または全部を典型的には集積回路であるＬＳＩとして実現してもよい。送信装置ａ１、ａ２、受信装置ｂ１、ｂ２、ｂ３の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１００】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【０１０１】
なお、本願発明は上述の実施形態に限定されるものではない。例えば、本願発明の端末装置は、衛星通信に適用されることができる。また、本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【産業上の利用可能性】
【０１０２】
本発明は、受信装置、受信方法および集積回路に用いて好適である。
【符号の説明】
【０１０３】
４０１、４０２、４０３、４０４  ＱＰＳＫの変調点
ａ１、ａ２  送信装置
ａ１−ｋ  送信アンテナ
ｂ１、ｂ２、ｂ３  受信装置
ｂ１−ｒ  受信アンテナ
ａ１０１、ａ２０１  Ｓ／Ｐ変換部
ａ１０２−ｋ、ａ２０３−ｌ  変調部
ａ１０３、ａ２０５  パイロット生成部
ａ１０４−ｋ  マッピング部
ａ１０５−ｋ、ａ２０９−ｋ  送信部
ａ２０２−ｌ  符号化部
ａ２０４  レイヤーマッピング部
ａ２０６  プリコーディング部
ａ２０７−ｋ  ＲＥマッピング部
ａ２０８−ｋ  ＯＦＤＭ信号生成部
ｂ１０１−ｒ、ｂ２０１−ｒ  受信部
ｂ１０２−ｒ、ｂ２０３−ｒ  デマッピング部
ｂ１０３、ｂ２０４  チャネル推定部
ｂ１０４、ｂ２０５、ｂ３０５  ストリーム選択部
ｂ１０５、ｂ２０６、ｂ３０６  送信候補探索部
ｂ２０２−ｒ  時間周波数変換部
ｂ２０７、ｂ３０７  ＬＬＲ算出部
ｂ２０８  復号部
ｂ３０９  最尤優先送信候補探索部
【図１】
2018011094.tif 000010
【図２】
2018011094.tif 000011
【図３】
2018011094.tif 000012
【図４】
2018011094.tif 000013
【図５】
2018011094.tif 000014
【図６】
2018011094.tif 000015
【図７】
2018011094.tif 000016
【図８】
2018011094.tif 000017
【図９】
2018011094.tif 000018
【図１０】
2018011094.tif 000019
【図１１】
2018011094.tif 000020
【図１２】
2018011094.tif 000021